(57)【要約】      （修正有）【課題】太陽光を遮光し、室内や壁面の温度上昇を抑え、二酸化炭素を吸収し、各家庭から酸素を供給し、果菜が収穫でき、又、省エネを計り地球環境を改善する緑化面移動型植栽具を提供する。【解決手段】階上ベランダ３の下部とベランダ１との間で、窓ガラス４の前面に設置し、垂直に保持する手段を設けた支柱２５に、プランター５に植栽し蔓性植物６を登攀する腕木２０を取付けた回転パイプ２１を、支柱２５に挿通し、回転パイプ２１の位置変更、及び係止ができる構造である。【選択図】図１
0003156092.tif 000002
【実用新案登録請求の範囲】
【請求項１】
垂直に保持する手段を設けた支柱と、
前記支柱に挿通する保持リング、及び腕木を有し位置変更自在となる回転パイプとでなり、前記腕木に蔓性植物を登攀し緑化面となすことを特徴とする、
緑化面移動型植栽具。
【請求項２】
前記支柱に挿通され、
保持リング紐環、保持リングロックネジを有し、補助紐を取付ける横棹を具備し位置変更自在となる保持リングとでなり、
補助紐、横棹に蔓性植物を登攀し緑化面となすことを特徴とする、
緑化面移動型植栽具。
【請求項３】
前記支柱に挿通され、
保持リング紐環、保持リングロックネジを有し、位置変更ができる保持リングと、補助紐を装着したロープとでなり、  
前記ロープで連結された他の支柱との間に、蔓性植物を登攀し緑化面となすことを特徴とする、
緑化面移動型植栽具。
【請求項４】
前記支柱に挿通され、
両端に環を有し補助紐を取付ける横棹を装備し位置変更自在となる保持リングと、キャップ環を通し横棹用ロープで締結された横棹とでなり、
補助紐、及び横棹に蔓性植物を登攀し緑化面となすことを特徴とする、
緑化面移動型植栽具。
【請求項５】
前記請求項１から４に記載の、蔓性植物を登攀し緑化面となす部分に、ネット(網)を取付けたことを特徴とする、
緑化面移動型植栽具。
【考案の詳細な説明】
【技術分野】
【０００１】
本考案は、集合住宅、戸建住宅の窓、壁面に直射日光が当たるのを防ぎ、固定された支柱に挿通して、角度変更や上下移動、係止ができる回転パイプに設けた腕木に、植物栽培容器や庭から蔓性植物を植栽、登攀し繁茂した葉を日除けとし、室内温度の上昇を抑え省エネを促進すると共に、各家庭から温暖効果ガスの削減、二酸化炭素の吸収、酸素の供給を行ない、果菜の収穫を図る、緑化面移動型植栽具に関するものである。
この項、考案の名称を含め、以下、蔓性植物が、植栽され登攀し緑化された面積部分を緑化面と称し、植物栽培容器をプランターと称す。
【背景技術】
【０００２】
夏、そして夏前後の強い陽射しを防ぎ、室内温度の上昇を抑えるために、室内側の窓辺にはカーテン、ブラインド等を取付け、室外側の窓辺や壁にはヨシズを立てかけ、又、スダレ等を垂下げて遮光し日除けとし、団扇、扇風機、クーラーなどで涼をとるのが夏の一般的風景である。
【先行技術文献】
【特許文献】
【０００３】
【特許文献１】実用新案出願公開  １９８８−５８８６
【特許文献２】特開２００３−１９９４２１
【特許文献３】実用新案登録第３１１５６９９号
【０００４】
特許文献１は、回動、伸縮できるアームの先端に鉢入環を設け、植木鉢を窓枠の外に出し入れするもので、高層住宅の設置には強風、突風も考えられ階下に対して危険である。
鉢植えした草花を楽しむ構造であって、窓や壁面を直射日光から遮光し、建物の温度上昇に対応するものではない。
【０００５】
特許文献２は、ユニットタイプであり、曇天時に室内の採光が容易にできる緑化面を移動するタイプの構造でなく、植栽されるカロライナジャスミンの蜜は、めまい、痙攣、呼吸麻痺の中毒症状をおこす有毒性で、小児なども居住する集合住宅には不向きである。
【０００６】
特許文献３は、集合住宅のベランダ上に設置した場合に、倒伏防止策のためプランター容器内に水、土を入れて錘とし重量物となるため、回転、移動時に重く、年配者にとって本案に取付けてある、捩れ防止および押し引き用の横材でのプランターごとの移動は重く負担となる。移動ごとに支柱に設置されている伸縮調整ネジでの支柱の固定や解除が必要
となり、植栽部分の移動を回転パイプで可能とする本考案の構造とは異なるものである。
【０００７】
省エネルギー、地球温暖化、ECO、二酸化炭素削減、オゾン層破壊、ヒートアイランド、また新たに二酸化炭素の影響による海洋酸性化問題も表面化し、より一層地球環境汚染の悪化が深刻化している昨今である。ビルの屋上に植物を植え温度上昇を抑えるビル屋上の緑化、ビル壁面に蔓性植物を登攀し、壁面の緑化で温度上昇を防ぐという緑化方法も実施されつつあるが、これらの方法によるビル緑化が進んでいないのが現状である。
【考案の概要】
【考案が解決しようとする課題】
【０００８】
ビルの屋上、壁面だけの緑化ではなく、戸建住宅、集合住宅などの窓際、ベランダに面す壁面も緑化して建物の温度上昇を防ぎ、環境問題を国家、自治体、企業だけに依存せず、一般家庭においても緑化面積を拡大し二酸化炭素を吸収し酸素を産み供給し、前記環境問題を改善することにある。
【課題を解決するための手段】
【０００９】
請求項１に係る緑化面移動型植栽具は、垂直に保持する手段を設けた支柱と、前記支柱に挿通する保持リング、及び腕木を有し位置変更自在となる回転パイプとでなり、前記腕木に蔓性植物を登攀し緑化面となすことを特徴とする、緑化面移動型植栽具である。
【００１０】
請求項２に係る緑化面移動型植栽具は、垂直に保持する手段を設けた支柱と、前記支柱に挿通され、保持リング紐環、保持リングロックネジを有し、補助紐を取付ける横棹を具備し位置変更自在となる保持リングとでなり、補助紐、横棹に蔓性植物を登攀し緑化面となすことを特徴とする、緑化面移動型植栽具である。
【００１１】
請求項３に係る緑化面移動型植栽具は、支柱を２台、又は複数台設置した場合のものである。垂直に保持する手段を設けた支柱と、前記支柱に挿通され、保持リング紐環、保持リングロックネジを有し、位置変更ができる保持リングと、補助紐を装着したロープとでなり、前記ロープで連結された他の支柱との間に、蔓性植物を登攀し緑化面となすことを特徴とする、緑化面移動型植栽具である。
【００１２】
請求項４に係る緑化面移動型植栽具は、垂直に保持する手段を設けた支柱と、前記支柱に挿通され、両端に環を有し補助紐を取付ける横棹を装備し位置変更自在となる保持リングと、キャップ環を通し横棹用ロープで締結された横棹とでなり、補助紐、及び横棹に蔓性植物を登攀し緑化面となすことを特徴とする、緑化面移動型植栽具である。
【００１３】
請求項５に係る緑化面移動型植栽具は、前記請求項１から４に記載の、蔓性植物を登攀し緑化面となす部分に、ネット(網)を取付けたことを特徴とする、緑化面移動型植栽具である。
【考案の効果】
【００１４】
分譲マンション、賃貸マンションのベランダの面積は、居住面積に対して１０％を超え、角部屋に至っては２０％を超えているマンションが殆どである。本考案によれば、この灰色で緑が無く味気ないコンクリート建造物のベランダ空間を、洗濯物干し場、物置に利用するだけでなく、春夏秋冬を通じ生活空間として一戸建住宅と同じように緑で覆い、カーテンを開けた室内は明るく、照明費、空調費を抑え、快適な生活の場としてベランダを活用できるのである。
【００１５】
本考案の緑化面移動型植栽具は、生垣に比べ植栽部分の厚みを薄くできるため、戸建住宅の用地面積が狭小で隣地の境界に生垣を作る余裕がない宅地に設置し緑化が可能である
。又、コンクリートやブロックなどで作られた車庫に代用すれば、車庫入れの際にブロックなどの硬い壁に車体を当て傷つけたり、擦ったりすることも少なくなるのである。
【００１６】
本考案では、曇天、雨天時に室内が暗くなるのを防ぐために、支柱に取付けた回転パイプの腕木に登攀し繁茂した蔓性植物を、回転パイプの移動で角度や上下に位置変更でき、室内の明るさを保つことができる。腕木に茂った蔓性植物を、窓に対して直角位に設定すると、蔓性植物が風受けとなり室内へと風を呼込み、室内温度も下げ換気できるのである。
【００１７】
胡瓜、西瓜、ゴーヤ、隼人瓜の花は黄色く可憐で美しく、双葉から花、果菜へと生育し夏や秋の新鮮な食材となり、遠くの借農地に足を運ぶこともなく、身近で健康な無農薬ベランダ菜園として植花の成育を楽しみながら家計の一助となるのである。植栽により他のマンション、ビルからのノゾキも防げ、防犯効果もあり一戸建住宅とは違うマンション生活を快適にできるのである。
【００１８】
腕木に植栽、登攀された蔦、朝顔、夕顔、時計草などの花や葉は、窓辺の彩りとなり茂
った葉は、風や小鳥、蝶々などを呼び、花や葉の動きにも季節、涼を感じ、潤い癒しとなるのである。マンション、団地の住民の高齢化で一人住まいの高齢者も増えている現在、高齢者が犬や猫に話しかけるように、草花、野菜、果菜と対話し、その生育、新鮮な果菜の収穫は人に喜び活力を与えるのである。
【図面の簡単な説明】
【００１９】
【図１】本考案のベランダ設置を示す図。斜線部分は建物の断面を示す。
【図２】本考案の上方固定部、及び下方固定部の断面図。
【図３】本考案の中央部の部材図。
【図４】本考案の庭設置時における下方固定部の図．
【図５】本考案の第３実施形態の実施例図。
【図６】本考案の第４実施形態に採用された上方固定部の図で、図中の(Ｃ)は保持リング取付け部分の斜視図。
【考案を実施するための形態】
【００２０】
＜第１実施形態＞
本考案の請求項１に採用された緑化面移動型植栽具７の構成は下記の如くである。
【００２１】
以下、支柱２５の上方を固定する構成物を上方固定部、支柱２５の下方を固定する構成物を下方固定部と称し、この上方固定部と下方固定部の中間の構成物を中央部と称す。各部を構成するパーツを、それぞれの部の部材と称す。
【００２２】
本考案の緑化面移動型植栽具７の、上方固定部の部材、構成について説明する。
図１に示すように、上方固定部は、クッション材１１、クッション受１２、上下調整カプラ−１３で構成される。
【００２３】
図２の断面図に示すように、
上方固定部は、上下調整カプラ−１３の上方側は、クッション受１２の円筒状の下方側と嵌合される。上下調整カプラ−１３下方側の円筒の内面には雌ネジ１４がきられ、支柱２５の雄ネジ１５と螺合される。クッション受１２の上部には、ゴムなどのクッション材１１を取付け、階上ベランダ３の下面に当接される。
【００２４】
下方固定部は以下の部材、構成である。
図２に示すように、支柱２５を挿入する保持パイプ５１と、ベランダ１の傾きに合わせて支柱２５の角度を調整するアジャスターネジ５４を取付けた下部安定板５３とで構成され
、支柱２５は保持パイプ５１に取付けた保持パイプロックネジ５２で固定される。これに限らず、下部安定板５３をゴムなどの滑り難く、弾性をもつ材質でベランダの傾斜に対応できる角度に作成すれば、アジャスターネジ５４は不要である。
【００２５】
図３は中央部の部材、構成を示すものである。
回転パイプロックネジ２２を具備した回転パイプ２１と、保持リング紐環２３ａと保持リングロックネジ２４を有した保持リング２３を、支柱２５に挿通する。回転パイプ２１は、蔓性植物６を植栽する腕木受２６の腕木受孔２６ａに嵌合される略Ｖ字型の腕木２０と、回転パイプ紐環２１ａを具備する。
【００２６】
以上のように前記各部材で緑化面移動型植栽具７は構成され、ベランダ１に、下記のように設置する。図１に示すように、上方固定部材、中央部材、下方固定部材を支柱２５に取付ける。支柱２５が垂直に立つようアジャスターネジ５４を調整する。上下調整カプラ−１３を回転させることにより、クッション受１２は上方に、支柱２５は下方に押し下げられ、支柱２５は上下のベランダ間で伸長され、より強固に緑化面移動型植栽具７をベランダ間で安定できるのである。
【００２７】
図１に本考案の請求項１に採用された緑化面移動型植栽具７を示す。
本考案の緑化面移動型植栽具７は、蔓性植物６をプランター５の容器内に土などを入れ、植栽し、上方固定部、下方固定部により垂直に保持された支柱２５は、当該ベランダ１と階上ベランダ３下部の間で、窓ガラス４の前面に設置される。フェンス２はベランダ１の端部に沿い連続して設置されている。
【００２８】
プランター５に植えた蔓性植物６は腕木２０に登攀し、成長した蔓性植物は腕木２０に絡まり、その葉が繁茂し緑の面、緑化面となり太陽光を遮光し日陰を創出する。腕木２０に繁茂した葉は、回転パイプ２１に有した回転パイプロックネジ２２を弛め、角度変更や位置移動を行なうことができ、雨天、曇天時の室内への採光を行なうことができる。腕木２０に蔓性植物の成育を助ける補助紐２７ａを斜めに設けると、回転パイプ２１の上下や、回転による、茎の傷みを少なくできる。
【００２９】
保持リング２３は、回転パイプ２１の位置変更時に、腕木２０に繁茂した蔓性職物６の重みで落下を防ぐものである。回転パイプ紐環２１ａは、強風で緑化面移動型植栽具７が
倒され、ベランダ１からの落下防止の紐を結ぶ環となり複数設けてもよい。又、前記に限らず、回転パイプ２１に支柱２５を中心に、左右が対称となるよう腕木２０を設置してもよい。
【００３０】
プランター５から成長する蔓性植物６が最初に腕木２０に絡む位置は、腕木２０の下端が窓ガラス４の下方の辺りとする。回転パイプ２１が回転し角度変更や、支柱２５を上下するために、茎が余裕をもった長さで腕木２０に絡むようにすることが望ましく、補助紐２７ａを利用し茎を斜めに成育させるとよい。
【００３１】
腕木２０の長さが緑化面の横幅となるため、軒先となるベランダが短い場所での設置が好適である。回転パイプ２１に取付ける腕木２０は、回転パイプ２１に縦列に単数でも複数取付けてもよい。
【００３２】
これに限らず、前記の上下調整カプラーの取付け位置を、下記の位置にする事ができる。
支柱２５の上下の伸長に使われる上下調整カプラー１３を保持パイプ５１の上方位置に設けてもよい。保持パイプ５１の円筒内面に雌ネジを、支柱２５に雄ネジを設け、支柱２５を回転することで支柱２５は伸長される。その時は上下調整カプラー１３内面の雌ネジ１４は不要で支柱２５と嵌合される。
【００３３】
＜第２実施形態＞
請求項２に採用された緑化面移動型植栽具７を説明する。
前記、第１実施形態で説明された、垂直に保持する手段を設けた支柱２５に、図６の(Ｃ)の部分図に示すように、保持リング紐環２３ａ、保持リングロックネジ２４を有し、横棹２９を保持リング２３に挿通し補助紐２７ａを取付ける。蔓性植物６を補助紐２７ａから横棹２９へと登攀させ緑化面とする。
【００３４】
第１実施形態では、腕木２０が緑化面となるが、第２実施形態では、補助紐２７ａ、
横棹２９が緑化面となり、支柱２５を中心に横棹２９を長くすることで緑化面を大きくでき、左右の重量バランスを良くするメリットがある。
【００３５】
補助紐２７ａ、横棹２９へと繁茂した緑化面の位置変更は、保持リングロックネジ２４を弛めて、上下移動や角度変更を行なう。
【００３６】
補助紐２７ａを取付け、横棹２９を有した保持リング２３を、支柱２５に複数設置してもよい。
【００３７】
この第２実施形態は、緑化面移動型植栽具７を、庭４３にも設置でき、支柱２５に上方固定部、下方固定部を装着すれば、ベランダ１での設置も可能である。
【００３８】
＜第３実施形態＞
請求項３に採用された緑化面移動型植栽具７を説明する。
図５は本考案の、緑化面移動型植栽具７を戸建住宅の庭４３に設置した実施図である。
本実施形態では、第１、第２実施形態に比べて２本の支柱２５を利用し、支柱２５間を長くとれるため、スパンの長い壁面や、窓や壁を有した長い建物の前の設置が好適である。生垣と比べ植栽部分の厚みを薄くでき、狭小地の境界としても利用できるのである。
【００３９】
図５の(Ａ)は、下方固定部の保持パイプ５１の先端を尖らせ庭４３に打込み、緑化面移動型植栽具７を設置した図である。図(Ｂ)の下方固定部は、図４に示したもので、メクギ４１を打込み下方固定部を安定し、支柱２５を直立させたものである。
【００４０】
図５の(Ａ)には、腕木２０を有した回転パイプ２１が示されているが、前記第１実施形態で説明されているのでここでの説明は省く。窓や壁面を併せ持つ建物の窓前面側に設置できるものである。
【００４１】
図５の(Ａ)、(Ｂ)に示すように、夫々固定され直立した２本の支柱２５に、キャップ２８を被せ、支柱２５に各二個の保持リング２３を挿通し、該保持リング２３に有した保持リング紐環２３ａに、補助紐２７ａを装着したロープ２７で連結する。庭４３に植えた蔓性植物６を、図面下側のロープ２７に取付けた補助紐２７ａに絡ませ登攀させる。２本のロープ２７の間も補助紐２７ａで上下が連結され、補助紐２７ａと２本のロープ２７部分を緑化面としたものである。ロープ２７は金属線を利用してもよい。
【００４２】
緑化面の移動は、保持リングロックネジ２４を弛め、保持リング２３を上下移動することで行なう。
【００４３】
蔓性植物６を庭植えする位置は、緑化面が上下するために、補助紐２７ａを利用し、支柱２５から蔓性植物６を斜めに登攀させ、長さに余裕をもつことが望ましい。
【００４４】
支柱２５の上下の両端に、図１に示すような、上方固定部、下方固定部を利用すれば、庭４３だけの設置だけでなく、集合住宅の長いベランダ１にも設置可能である。
【００４５】
緑化面移動型植栽具７を、物流上や梱包時に小さくするには、支柱２５を短く分断し、設置時に連結してもよい。
【００４６】
横棹２９を有した保持リング２３を、支柱２５に複数取付けてもよい。又、これに限らず、図１に示した回転パイプ２１自身の上下の端部に、図６の(Ｃ)に示した横棹２９を取付ける構成にしても良い。
【００４７】
この第３実施形態を利用すれば、直射日光にさらされ保温性をもつコンクリートで固められ熱くなる、コンビニ、スーパー、パチンコ店の広い駐車場にも日陰を創出でき、緑の駐車場として温暖化抑制の一助となる。
【００４８】
＜第４実施形態＞
請求項４に採用された緑化面移動型植栽具７を説明する。
図６の上方固定部は、本考案の緑化面移動型植栽具７を庭に設置したもので、以下の構成である。図６の(Ｃ)は保持パイプ２３を、支柱２５に挿通した部分の斜視図である。
【００４９】
図６に示すように、保持リングロックネジ２４を有し、支柱２５に挿通する保持リング２３と、支柱２５の先端にキャップ環２８ａを有したキャップ２８と、一端に環を有し、他端に横棹環２９ａを嵌合する横棹２９と、横棹用ロープ２７ｂを結束する結束具３０とで構成され、支柱２５を中心に略二等辺三角形の形状をなす。
【００５０】
横棹２９に取付けた補助紐２７ａに蔓性植物６を絡ませ、横棹２９へと登攀させ繁茂した葉で太陽光を遮る緑化面とするものである。
【００５１】
曇天などで部屋が暗くなった時の繁茂した緑化面の移動は、保持パイプ２３に有した保持パイプロックネジ２４を弛め、横棹２９を任意の位置に移動し係止する。
【００５２】
支柱２５の先端に被せたキャップ２８を利用せず、図１のように上方固定部を用い、下方固定部を利用すればベランダ１での設置も可能である。
＜第５実施形態＞
【００５３】
請求項５に採用された緑化面移動型植栽具について記す。
請求項１から４に記載の、蔓性植物を登攀し緑化面となす部分に、ネット(網)を取付けたことを特徴とする緑化面移動型植栽具である。常緑の蔓性植物などを植栽せず、胡瓜、ゴーヤなどの果菜が収穫できる蔓性植物は、秋には枯れて茎はネットに絡まり、ネットからこれらの枯れた枝葉を取除くには時間がかかり困難でありネットを廃棄することになり、次年度もネット購入のコスト高になるが、補助紐に荷造り紐等を利用すれば安価である。
＜第６実施形態＞
【００５４】
第１実施形態から第５実施形態まで、蔓性植物を登攀し緑化面とする実施例を記したが、これに限らず、支柱２５を中心に左右の緑化面となる、前記実施形態を使い分けてもよい。
又、支柱２５を中心に、３方向、４方向の緑化面を設けることができる。
【符号の説明】
【００５５】
１  ベランダ
２  フェンス
３  階上ベランダ
４  窓ガラス
５  プランター
６  蔓性植物
７  緑化面移動型植栽具  
１１  クッション材
１２  クッション受  
１３  上下調整カプラ−    
１４  雌ネジ
１５  雄ネジ
２０  腕木  
２１  回転パイプ
２１ａ  回転パイプ紐環
２２  回転パイプロックネジ    
２３  保持リング
２３ａ  保持リング紐環
２４  保持リングロックネジ    
２５  支柱
２６  腕木受
２６ａ  腕木受孔
２７  ロープ  
２７ａ  補助紐  
２７ｂ  横棹用ロープ
２８  キャップ  
２８ａ  キャップ環
２９  横棹
２９ａ  横棹環
３０  結束具
４１  メクギ
４１ａ  メクギ孔
４３  庭
５１  保持パイプ
５２  保持パイプロックネジ
５３  下部安定板
５４  アジャスターネジ
【図１】
0003156092.tif 000003
【図２】
0003156092.tif 000004
【図３】
0003156092.tif 000005
【図４】
0003156092.tif 000006
【図５】
0003156092.tif 000007
【図６】
0003156092.tif 000008
【手続補正書】
【提出日】平成21年10月1日(2009.10.1)
【手続補正１】
【補正対象書類名】実用新案登録請求の範囲
【補正対象項目名】全文
【補正方法】変更
【補正の内容】
【実用新案登録請求の範囲】
【請求項１】
垂直に保持する手段を設けた支柱と、
前記支柱に挿通する保持リング、及び腕木を有し位置変更自在となる回転パイプとでなり、
前記腕木に蔓性植物を登攀し緑化面となすことを特徴とする、
緑化面移動型植栽具。    
【請求項２】
前記支柱に挿通され、
保持リング紐環、保持リングロックネジを有し、補助紐を取付ける横棹を具備し、位置変更自在となる保持リングとでなり、
前記補助紐、横棹に蔓性植物を登攀し緑化面となすことを特徴とする、
請求項１記載の緑化面移動型植栽具。
【請求項３】
前記支柱に挿通され、
保持リング紐環、保持リングロックネジを有し、位置変更ができる保持リングと、補助紐を装着したロープとでなり、
前記ロープで連結された他の支柱との間に、蔓性植物を登攀し緑化面となすことを特徴とする、
請求項１記載の緑化面移動型植栽具。
【請求項４】
前記支柱に挿通され、
両端に環を有し補助紐を取付ける横棹を装備し、位置変更自在となる保持リングと、キャップ環を通し横棹用ロープで締結された横棹とでなり、
前記補助紐、及び横棹に蔓性植物を登攀し緑化面となすことを特徴とする、
請求項１記載の緑化面移動型植栽具。
【請求項５】
蔓性植物を登攀し緑化面となす部分に、ネット(網)を取付けたことを特徴とする、
請求項１から４のいずれか１項に記載の緑化面移動型植栽具。